(57)【要約】      （修正有）【課題】ユーザーの手足の動きに従って色が変化して発光し、その場の雰囲気を高める効果を達成する外部刺激で変化する分光器を提供する。【解決手段】外部刺激で変化する分光器は、内部に設置室１３を形成する筐体１と、筐体１の設置室１３内に固定した基板２と、基板２上に設けられ、筐体１の動態を検知する動態センサー２２と、基板２上に設けられ、内部に少なくとも二個の異なる色のＬＥＤライトを備えた、少なくとも一個の発光装置２５とを設ける。さらに、基板２上に設けられて動態センサー２２と少なくとも一個の発光装置２５とに電気的に接続され、動態センサー２２による検知結果に基づいて少なくとも一個の発光装置２５を制御するコントローラー２１と、を有する。【選択図】図３
0003168514.tif 000002
【実用新案登録請求の範囲】
【請求項１】
内部に設置室を形成する筐体と、
前記筐体の前記設置室内に固定した基板と、
前記基板上に設けられ、前記筐体の動態を検知する動態センサーと、
前記基板上に設けられ、内部に少なくとも二個の異なる色のＬＥＤライトを備えた、少なくとも一個の発光装置と、
前記基板上に設けられて前記動態センサーと前記少なくとも一個の発光装置とに電気的に接続され、前記動態センサーによる検知結果に基づいて前記少なくとも一個の発光装置を制御するコントローラーと、
を具備したことを特徴とする外部刺激で変化する分光器。
【請求項２】
前記筐体は、蓋体及び台座を有し、前記蓋体と前記台座は相互に接続可能であって、前記台座に少なくとも一個の磁気吸着部品を設置し、前記筐体に装着ベルトを設置したことを特徴とする請求項１に記載の外部刺激で変化する分光器。
【請求項３】
内部に設置室を形成する筐体と、
前記筐体の前記設置室内に固定した基板と、
前記基板上に設けられ、前記筐体の周囲の音を検知するボイス・センサーと、
前記基板上に設けられ、内部に少なくとも二個の異なる色のＬＥＤライトを備えた、少なくとも一個の発光装置と、
前記基板上に設けられて前記ボイス・センサーと前記少なくとも一個の発光装置とに電気的に接続され、前記ボイス・センサーによる検知結果に基づいて前記少なくとも一個の発光装置を制御するコントローラーと、
を具備したことを特徴とする外部刺激で変化する分光器。
【請求項４】
前記筐体は、蓋体及び台座を有し、前記蓋体と前記台座は相互に接続可能であって、前記台座に少なくとも一個の磁気吸着部品を設置し、前記筐体に装着ベルトを設置したことを特徴とする請求項３に記載の外部刺激で変化する分光器。
【請求項５】
内部に設置室を形成する筐体と、
前記筐体の前記設置室内に設置した音声装置と、
前記筐体の前記設置室内に固定した基板と、
前記基板上に設けられ、前記筐体の動態を検知する動態センサーと、
前記基板上に設けられ、前記筐体の周囲の音を検知するボイス・センサーと、
前記基板上に設けられ、音楽データを記憶可能なメモリーと、
前記基板上に設けられて前記動態センサー、前記ボイス・センサー、前記音声装置、前記メモリー及び前記少なくとも一個の発光装置に電気的に接続され、前記メモリーに記憶された音楽データの前記音声装置による再生を制御するとともに、前記動態センサー及び前記ボイス・センサーによる検知結果に基づいて前記少なくとも一個の発光装置を制御するコントローラーと、
を具備したことを特徴とする外部刺激で変化する分光器。
【請求項６】
前記筐体は、蓋体及び台座を有し、前記蓋体と前記台座は相互に接続可能であって、前記台座に少なくとも一個の磁気吸着部品を設置し、前記筐体に装着ベルトを設置したことを特徴とする請求項５に記載の外部刺激で変化する分光器。
【考案の詳細な説明】
【技術分野】
【０００１】
本考案は、外部刺激で変化する分光器に関するもので、特に筐体の傾斜角度変化、もしくは傾斜方向変化を検知し、検知結果に基づいてコントローラーで発光装置を制御可能な外部刺激で変化する分光器に関する。
【背景技術】
【０００２】
従来より、筐体の外部からの力を利用してＬＥＤ等の発光部による発光を変化させる分光器が実用化されている。
【０００３】
この種の従来の分光器の一例を図１に示す。図１は、従来の分光器である光変色性球体もしくは多面体玩具の構成を示す斜視図である。
【０００４】
図１に示す光変色性球体もしくは多面体玩具は、上筐体８１と、下筐体８２とを有する。この上筐体８１と下筐体８２とで形成される内部空間には、回路基板８３が設置される。
【０００５】
この回路基板８３上には複数個のＬＥＤ回路が設置され、各ＬＥＤ回路にはカラーライト８４、８５が設置される。これらカラーライト８４、８５の発光色はそれぞれ異なる。
【０００６】
また、回路基板８３上には複数個の触桿８６、８７が設置される。これら複数個の触桿８６、８７の間には、触塊８８が設置される。この触塊８８は、回路基板８３の傾きに応じて、回路基板８３の面と水平方向で且つ外周方向に倒れるように設けられている。
【０００７】
このような構成の光変色性球体もしくは多面体玩具は、上筐体８１と下筐体８２が掛合された後、回転すると、触塊８８は倒れて各個触桿８６、８７に不規則にぶつかるため、この触塊８８と、この触塊８８と接触する複数の触桿８６、８７のいずれかと電気的に導通することにより、異なるＬＥＤ回路のカラーライト８４、８５を発光させ、色が変化する発光を行うことができる（例えば、特許文献１参照）。
【先行技術文献】
【特許文献】
【０００８】
【特許文献１】台湾  特許公告第１８８９２８号「光変色性球体もしくは多面体玩具」
【考案の概要】
【考案が解決しようとする課題】
【０００９】
しかしながら、従来の光変色性球体もしくは多面体玩具では、色変化発光を達成する効果を備えるが、触塊８８と触桿８６、８７は、機械的なスイッチ方式によりカラーライト８４、８５をコントロールして発光する。そのため、推す力が不足すると、触塊８８が触桿８６、８７に触れないため、カラーライト８４、８５は発光しない。そのため、光変色性球体もしくは多面体玩具は、いくつかの変換動作時には、色が変化して発光しないことが発生する。  
また、力が大きすぎると、触塊８８が触桿８６、８７に力をかけすぎ、触桿８６、８７を壊して故障させてしまい、ＬＥＤ回路のカラーライト８４、８５が正常に作動せず発光しなくなり、色変化発光の効果を得られない。
【００１０】
そこで、本考案は上記問題点に鑑みてなされたもので、機械的なスイッチ方式を用いることなく、簡単な構成でユーザーの手足の動きに従って異なる色を変化して発光することのできる外部刺激で変化する分光器を提供することを目的とする。
【課題を解決するための手段】
【００１１】
上述の目的を達成するために、本考案の外部刺激で変化する分光器は、内部に設置室を形成する筐体と、前記筐体の前記設置室内に固定した基板と、前記基板上に設けられ、前記筐体の動態を検知する動態センサーと、前記基板上に設けられ、内部に少なくとも二個の異なる色のＬＥＤライトを備えた、少なくとも一個の発光装置と、前記基板上に設けられて前記動態センサーと前記少なくとも一個の発光装置とに電気的に接続され、前記動態センサーによる検知結果に基づいて前記少なくとも一個の発光装置を制御するコントローラーと、を有している。
【考案の効果】
【００１２】
本考案の外部刺激で変化する分光器によれば、機械的なスイッチ方式を用いることなく、簡単な構成でユーザーの手足の動きに従って異なる色を変化して発光することができる。
【図面の簡単な説明】
【００１３】
【図１】従来の分光器である光変色性球体もしくは多面体玩具の構成を示す斜視図。
【図２】本考案の一実施形態に係る分光器の構成を示す分解斜視図。
【図３】図２の分光器の構成を示す斜視図。
【図４】本実施形態に係る分光器の電気的な構成を示すブロック図。
【図５】本実施形態に係る分光器における角度変化で色変化発光する動作を説明するための説明図。
【図６】図５の分光器の回路における動作を説明するためのブロック図。
【図７】本実施形態に係る分光器におけるサウンド検知により色変化発光する動作を説明するための説明図。
【図８】図７の分光器の回路における動作を説明するためのブロック図。
【図９】本実施形態に係る分光器における位置移動した時の色変化発光及び音楽再生時の動作を説明するための説明図。
【図１０】図９の分光器の回路における動作を説明するためのブロック図。
【考案を実施するための形態】
【００１４】
従来の光変色性球体もしくは多面体玩具は、外部からの力が小さすぎた時、触塊が触桿に当たらず、そのためカラーライトが作動発光しない。また、力が大きすぎる時には、触塊が強い力で触桿に当たるため、触桿が壊れてしまい、ＬＥＤ回路のカラーライトが正常に作動発光できず、色変化発光の効果を達成できない。
【００１５】
したがって、本考案の目的は、機械的なスイッチ方式を用いることなく、簡単な構成でユーザーの手足の動きに従って異なる色を変化して発光することのできる外部刺激で変化する分光器を提供することを目的とする。
【００１６】
すなわち、電気的なスイッチ方式を採用して、筐体の傾斜角度変化、もしくは傾斜方向変化を検知し、コントローラーで発光装置を制御して元のＬＥＤライトを別の異なる色のＬＥＤライトに変換して発光させると同時に、従来技術の触桿の触塊への力の過不足に依る欠点を防止することで、本考案の分光器をコンサート、ダンスパーティ、パーティもしくは戸外活動で応用する。これにより、ユーザーの手足の動きに従って色が変化して発光し、その場の雰囲気を高める効果を達成する。
【００１７】
以上の目的を達成するため、本考案は外部刺激で変化する分光器を提供する。この本考案の外部刺激で変化する分光器は、内部に設置室を形成する筐体と、前記筐体の前記設置室内に固定した基板と、前記基板上に設けられ、前記筐体の動態を検知する動態センサーと、前記基板上に設けられ、内部に少なくとも二個の異なる色のＬＥＤライトを備えた、少なくとも一個の発光装置と、前記基板上に設けられて前記動態センサーと前記少なくとも一個の発光装置とに電気的に接続され、前記動態センサーによる検知結果に基づいて前記少なくとも一個の発光装置を制御するコントローラーと、を有する。
【００１８】
このような構成の分光器において、外部ユーザーの手足によって分光器の動態が変化した時、筐体内の基板に設置した動態センサーによって、筐体の傾斜角度変化、もしくは傾斜方向変化が検知され、コントローラーによって発光装置を制御して元のＬＥＤライトから別の異なる色のＬＥＤライトに変換し、同時に従来技術の触桿の触塊への力の過不足に依る欠点を防止することで、本考案の分光器をコンサート、ダンスパーティ、パーティもしくは戸外活動で応用でき、またこの場合に、ユーザーの手足の動きに従って色が変化して発光するため、その場の雰囲気を高める効果を達成することができる。
【００１９】
［一実施形態］
以下、本考案の実施形態を図面に基づいて説明する。
【００２０】
図２は、本考案の一実施形態に係る分光器の構成を示す分解斜視、図３は、図２の分光器の構成を示す斜視図である。
【００２１】
図２及び図３に示すように、本実施形態の外部刺激で変化する分光器は、筐体１と、基板２と、コントローラー２１と、動態センサー２２と、ボイス・センサー２４と、発光装置２５と、を有する。
【００２２】
筐体１は、蓋体１１及び台座１２を有する。蓋体１１と台座１２とは相互に接続可能であり、蓋体１１と台座１２とを接続した場合に、筐体１内には設置室１３が形成される。この設置室１３は主に台座１２内に形成され、この設置室１３内には少なくとも一個の支持部１３１が設置される。この支持部１３１は、凸柱状に形成された支持部材である。
【００２３】
また、筐体１の設置室１３内には音声装置１４が設置される。この音声装置１４は、台座１２内の所定位置に配置される。この音声装置１４は、例えばスピーカであり音楽データを再生する。
【００２４】
また、台座１２の内部には、少なくとも一個の磁気吸着部品１５が設置される。この磁気吸着部品１５は、例えば磁石であり、筐体１をその磁石による磁気によって他のスチール等の金属部に取り付けることができる。
【００２５】
また、筐体１の一部には、ユーザー３の手足３０等に装着するための装着ベルト１６が設置される（図５参照）。
【００２６】
なお、磁気吸着部品１５は、台座１２内部に設けずに、台座１２の外部に設けて構成したり、或いは台座１２の外側面に露出するような埋め込み式に構成しても良い。また、装着ベルト１６は、筐体１をユーザーの手足に装着できるような構成であれば、図２及び図３に示すように取付構造に限定されるものではない。
【００２７】
基板２は、台座１２の設置室１３内に固定設置される。この基板２には少なくとも一個の穿孔２０が設けられており、この穿孔２０には台座１２の設置室１３内の支持部１３１が嵌合される。
【００２８】
また基板２には、少なくとも一個のコントローラー２１と、動態センサー２２と、ボイス・センサー２４と、少なくとも一個の発光装置２５とが設置される。
【００２９】
図４は、本実施形態に係る分光器の電気的な構成を示すブロック図である。図４に示すように、コントローラー２１は、音声装置１４に電気的に接続される。また、コントローラー２１は、動態センサー２２と、ボイス・センサー２４と、少なくとも一個の発光装置２５とにそれぞれ電気的に接続される。
【００３０】
動態センサー２２は、筐体１の動態を検知するものであって、例えば、電子コンパスセンサー、もしくは傾斜角度センサー、もしくは加速度センサー（G-Sensor）を用いて構成される。この動態センサー２２は、検知結果をコントローラー２１に伝送する。
【００３１】
ボイス・センサー２４は、筐体１の周囲の音を検知するものであり、例えば、検知した音を音声信号に変換し、変換した音声信号を検知結果としてコントローラー２１に伝送する。
【００３２】
発光装置２５は、内部に少なくとも二個の異なる色のＬＥＤ（Light Emitting Diode：発光ダイオード）ライト２５１、２５２を有する。これらＬＥＤライト２５１、２５２は、それぞれコントローラー２１に電気的に接続される。また、ＬＥＤライト２５１、２５２は、例えば、発光色が異なる赤色ＬＥＤライト、もしくは青色ＬＥＤライト、もしくは緑色ＬＥＤライトとして構成される。
【００３３】
また、基板２には、音楽データ等を記憶可能なメモリー２６が設置される。このメモリー２６は、コントローラー２１に電気的に接続され、このコントローラー２１によって音楽データの読み出しが制御される。
【００３４】
次に、本実施形態の分光器の動作について図５及び図６を用いて説明する。図５は、本実施形態に係る分光器における角度変化で色変化発光する動作を説明するための説明図、図６は、図５の分光器の回路における動作を説明するためのブロック図である。
【００３５】
本実施形態の分光器１を使用する場合、図５に示すように、筐体１に設置された装着ベルト１６で、筐体１をユーザー３の手足３０に固定する。
【００３６】
このように筐体１をユーザー３の手足３０に固定することによって、使用時、ユーザー３の手足３０が筐体１を動かしポーズを変えることで、図６に示すように、筐体１内の基板２に設置した動態センサー２２が筐体１の傾斜角度変化もしくは傾斜方向変化を検知し、検知信号をコントローラー２１に伝送する。
【００３７】
コントローラー２１は、検知信号によって筐体１がポーズを変えたことを認識すると、発光装置２５内の異なる各色のＬＥＤライト２５１、２５２の発光を切り換えるように制御する。すなわち、分光器の使用時に図５に示すように、ＬＥＤライト２５１が所定の色の光線２５１１を発していたとすると、コントローラー２１は、このＬＥＤライト２５１の発光から他のＬＥＤライト２５２の発光を切り換える。これにより、分光器は、元のＬＥＤライト２５１が発していた光線２５１１が別の一個の異なる色のＬＥＤライト２５２の光線２５２１に変化することになる。
【００３８】
なお、コントローラー２１による発光装置２５の制御は、このような切換制御に限定されるものではない。例えば、色の異なるＬＥＤライト２５１、２５２の発光を短い時間で切り換えるように制御したり、あるいは切り換えたＬＥＤライト２５２を点滅させるように制御しても良い。
【００３９】
したがって、このように動作することにより、従来技術のように機械的なスイッチ方式を用いることで生じていた、触桿８６、８７が触塊８８を推す力が小さすぎたり、大きすぎたりした欠点を防止することができる。
【００４０】
また、ユーザー３が本実施形態の分光器を携帯してコンサート、ダンスパーティ、パーティもしくは戸外活動に参加した場合、ユーザー３の手足３０の動きに従って色が変化して発光することで、その場の雰囲気を高める効果がある。
【００４１】
次に、本実施形態の分光器の他の動作例について図７及び図８を用いて説明する。図７は、本実施形態に係る分光器におけるサウンド検知により色変化発光する動作を説明するための説明図、図８は、図７の分光器の回路における動作を説明するためのブロック図である。
【００４２】
図７及び図８に示すように、ユーザー３が本実施形態の分光器を携帯してコンサート、ダンスパーティもしくはパーティに参加したとする。
【００４３】
この場合、本実施形態の分光器では、基板２にボイス・センサー２４が設置されていることにより、ボイス・センサー２４がコンサートもしくはダンスパーティのために設置された放送システム４が放送した音楽を検知する。
【００４４】
ボイス・センサー２４は、検知結果をコントローラー２１に伝送する。この場合の検知結果は、ボイス・センサー２４により音楽を音声信号に変換した信号であるが、単に音楽の有無を検知したものであっても良い。
【００４５】
そして、コントローラー２１は、検知結果（検知した音声信号）に基づいて放送システム４の音楽が低音サウンド４１か、もしくは中音サウンド４２か、もしくは高音サウンド４３かを判断処理し、判断処理結果に基づいて発光装置２５内の異なる各色のＬＥＤライト２５１、２５２の発光を切り換えるように制御する。
【００４６】
すなわち、コントローラー２１は、検知した放送システム４の音楽の種類（音声信号の周波数）に応じて、二個の異なる色のＬＥＤライト２５１、２５２の発光を切り換えるように制御することにより、発光装置２５によって異なる色の光線２５１１、２５２１が変化することになる。
【００４７】
したがって、このように動作することにより、本実施形態の分光器は、放送システム４の音楽サウンドに合わせて色が変化発光することができるので、その場の雰囲気を高める効果がある。
【００４８】
なお、図３、図７に示すように、台座１２には磁気吸着部品１５が設けられているので、この台座１２をラウンジの放送システム４傍のスチールキャビネット上に吸着して設置しても上記同様に動作して同様の効果が得られる。
【００４９】
次に、本実施形態の分光器の他の動作例について図９及び図１０を用いて説明する。図９は、本実施形態に係る分光器における位置移動した時の色変化発光及び音楽再生時の動作を説明するための説明図、図１０は、図９の分光器の回路における動作を説明するためのブロック図である。
【００５０】
図９及び図１０に示すように、本実施形態の分光器は、基板２にメモリー２６を設置することによって、予め音楽データをメモリー２６内に音楽データを保存しておくことができる。
【００５１】
例えば、図９に示すように、ユーザー３による外力によって筐体１を移動させたとする。
【００５２】
この場合、本実施形態の分光器では、図１０に示すように、基板２に設置した動態センサー２２によって、筐体１の傾斜角度変化もしくは傾斜方向変化を検知して、検知信号をコントローラー２１に伝送する。
【００５３】
すると、コントローラー２１は、検知信号から筐体１の位置が変化したと認識すると、メモリー２６内の音楽データを読み取る。そして、コントローラー２は、読み取った音楽データを音声装置１４によって再生して放送する。
【００５４】
同時にコントローラー２１は、発光装置２５内の異なる各色のＬＥＤライト２５１、２５２の発光を切り換えるように制御する。すなわち、コントローラー２１は、ＬＥＤライト２５１の発光から他のＬＥＤライト２５２の発光に切り換える。これにより、分光器は、元のＬＥＤライト２５１が発していた光線２５１１が別の一個の異なる色のＬＥＤライト２５２の光線２５２１に変化することになる。
【００５５】
すなわち、このように動作することにより、本実施形態の分光器を位置移動することで、音楽が再生されると同時に、色が変化して発光するため、その場の雰囲気を高める効果がある。
【００５６】
以上、説明したように、本実施形態の分光器は、筐体１の傾斜角度変化、もしくは傾斜方向変化を検知してコントローラー２１で発光装置２５を制御し、元のＬＥＤライト２５１から別の異なる色のＬＥＤライト２５２に発光が切り換わることができると同時に、従来技術のように機械的なスイッチ方式を用いることで生じていた、触桿８６、８７が触塊８８を推す力が小さすぎたり、大きすぎたりした欠点を防止することができる。
【００５７】
また、ユーザーの手足の動きに従って色が変化して発光し、その場の雰囲気を高める効果を達成する。  
さらに、放送システムの音楽サウンドに従って色が変化して発光し、その場の雰囲気を高める効果を達成する。また筐体１の位置移動によって、音楽を放送したり、色が変化して発光したりすることもできる。
【００５８】
従って、本実施形態によれば、機械的なスイッチ方式を用いることなく、簡単な構成でユーザーの手足の動きに従って異なる色を変化して発光することのできる外部刺激で変化する分光器の実現が可能となる。
【００５９】
なお、本実施形態では、動態センサー２２と、ボイス・センサー２４とを基板２上に設けた構成ついて説明したが、これに限定されるものではなく、何れか一方を設けて構成した場合でも同様の作用・効果が得られる。
【００６０】
本考案は、以上述べた実施形態に限定されるものではなく、考案の要旨を逸脱しない範囲で種々変形、組合せ等実施可能である。
【符号の説明】
【００６１】
１…筐体、
１１…蓋体、
１２…台座、
１３…設置室、
１３１…支持部、
１４…音声装置、
１５…磁気吸着部品、
１６…装着ベルト、
２…基板、
２０…穿孔、
２１…コントローラー、
２２…動態センサー、
２４…ボイス・センサー、
２５…発光装置、
２５１…ＬＥＤライト、
２５１１…光線、
２５２…ＬＥＤライト、
２５２１…光線、
２６…メモリー、
３…ユーザー、
３０…手足、
４…放送システム、
４１…低音サウンド、
４２…中音サウンド、
４３…高音サウンド。
【図１】
0003168514.tif 000003
【図２】
0003168514.tif 000004
【図３】
0003168514.tif 000005
【図４】
0003168514.tif 000006
【図５】
0003168514.tif 000007
【図６】
0003168514.tif 000008
【図７】
0003168514.tif 000009
【図８】
0003168514.tif 000010
【図９】
0003168514.tif 000011
【図１０】
0003168514.tif 000012